(57)【特許請求の範囲】
【請求項１】
本体と、スライド手段と、前記スライド手段を通して前記本体に対してスライドする蓋体と、を備えてなる携帯式電子装置であって、
前記スライド手段は、スライド部材、第一位置決めユニット及び第二位置決めユニットを備え、
前記スライド部材は、前記蓋体が前記本体に対して相対的にスライド及び回転するように前記蓋体と前記本体とに装着され、
前記第一位置決めユニットは、前記本体に固定装着され、
前記第二位置決めユニットは、前記蓋体に固定装着され、
前記蓋体と前記本体とは、前記第一位置決めユニットと、前記第二位置決めユニットと、の吸着力によって位置決めされ、
前記本体及び前記蓋体には、それぞれスライド溝が開設されており、
前記スライド部材の一端は前記本体のスライド溝にスライド可能に装着され、他端は前記蓋体のスライド溝にスライド可能に装着され、
前記第一位置決めユニットは前記本体のスライド溝に装着され、前記第二位置決めユニットは前記蓋体のスライド溝に装着され、
前記スライド部材は、前記第一位置決めユニット及び前記第二位置決めユニットに吸着されることを特徴とする携帯式電子装置。
【請求項２】
前記第一位置決めユニットは、磁性を有する５つの第一位置決め部材を備え、
前記第二位置決めユニットは、磁性を有する５つの第二位置決め部材を備え、
対応する前記第一位置決め部材の極性と前記第二位置決め部材の極性とは、相反することを特徴とする請求項１に記載の携帯式電子装置。
【請求項３】
前記携帯式電子装置は、前記本体と前記蓋体との間に固定装着されるガイド板をさらに備え、
前記ガイド板にはガイド溝が開設されており、前記スライド部材は前記ガイド溝にスライド可能に装着されることを特徴とする請求項１に記載の携帯式電子装置。
【請求項４】
前記スライド部材は、磁性材料からなることを特徴とする請求項１に記載の携帯式電子装置。
【発明の詳細な説明】
【技術分野】
【０００１】
本発明は、携帯式電話、個人情報端末（ＰＤＡ）、電子ゲーム機のような携帯式電子装置に関するものである。
【背景技術】
【０００２】
電子通信技術の発展に伴い、携帯式電話のような携帯式電子装置は広く用いられている。携帯式電話は、本体に対する蓋体の開閉方式によって、折り畳み型携帯電話及びスライド型携帯電話に分けられる。スライド型携帯電話は、キーボードが設置されている本体と、前記キーボードを遮る蓋体と、前記本体と蓋体とを相対にスライドさせるスライド手段と、を備える。前記スライド型携帯電話を使用しない場合、前記蓋体が前記キーボードを遮って、不主意による誤操作を防止することができ、前記スライド型携帯電話を使用する場合、前記蓋体をスライドしてから前記キーボードを操作することができるので、前記スライド型携帯電話の使用は非常に便利であって、多くの消費者に好評である。
【０００３】
従来のスライド式携帯式電話のスライド手段において、トーションスプリングを採用して本体と蓋体との開閉を実現するが、前記トーションスプリングの局部変形が大きすぎるため、前記蓋体と前記本体との揺れを招き、スライド式携帯式電話の使用寿命も短くなる。
【発明の概要】
【発明が解決しようとする課題】
【０００４】
以上の問題点に鑑みて、本発明は、使用寿命が長い携帯式電子装置を提供することを目的とする。
【課題を解決するための手段】
【０００５】
前記問題を解決するために、本発明に係る携帯式電子装置は、本体と、スライド手段と、前記スライド手段を通して前記本体に対してスライドする蓋体と、を備える。前記スライド手段は、スライド部材、第一位置決めユニット及び第二位置決めユニットを備え、前記スライド部材は、前記蓋体が前記本体に対して相対的にスライド及び回転されるように前記蓋体と前記本体に装着され、前記第一位置決めユニットは、前記本体に固定装着され、前記第二位置決めユニットは、前記蓋体に固定装着され、前記蓋体と前記本体は、前記第一位置決めユニットと前記第二位置決めユニットとの吸着力によって位置決めされ、前記本体及び前記蓋体には、それぞれスライド溝が開設されており、前記スライド部材の一端は前記本体のスライド溝にスライド可能に装着され、他端は前記蓋体のスライド溝にスライド可能に装着され、前記第一位置決めユニットは前記本体のスライド溝に装着され、前記第二位置決めユニットは前記蓋体のスライド溝に装着され、前記スライド部材は、前記第一位置決めユニット及び第二位置決めユニットに吸着される。
【発明の効果】
【０００６】
本発明に係る携帯式電子装置において、第一位置決めユニットと第二位置決めユニットとの吸着力によって前記蓋体を前記本体に対して位置決めを実現するので、本発明に係る電子装置の使用寿命が長くなる。
【図面の簡単な説明】
【０００７】
【図１】本発明に係る携帯式電子装置の分解図である。
【図２】図１に示す携帯式電子装置の他の視角からの分解図である。
【図３】本発明に係る携帯式電子装置の局部的な組立て図である。
【図４】本発明に係る携帯式電子装置の斜視図である。
【図５】図４に示す携帯式電子装置の透視図である。
【図６】図４に示す携帯式電子装置の第一開状態を示す図である。
【図７】図４に示す携帯式電子装置の第二開状態を示す図である。
【図８】図４に示す携帯式電子装置の第三開状態を示す図である。
【図９】図４に示す携帯式電子装置の第四開状態を示す図である。
【発明を実施するための形態】
【０００８】
以下、図面に基づいて、本発明の実施形態に携帯式電子装置について詳細に説明する。
【０００９】
図１を参照すると、本発明に係る携帯式電子装置１００は、本体１０と、蓋体３０と、前記蓋体３０を前記本体１０にスライド可能に連結するスライド手段５０と、を備える。前記本体１０及び蓋体３０内には、ブルートゥースの受信及び送信モジュール、ワイファイ（Ｗｉｒｅｌｅｓｓ  Ｆｉｄｅｌｉｔｙ，Ｗｉ−Ｆｉ）モジュールまたは赤外線通信モジュールなどの無線通信モジュール（図示せず）が設置されている。これによって、信号の伝送を実現する。
【００１０】
前記本体１０は、対向して設置される第一表面１１及び第二表面１３を備える。
【００１１】
前記第一表面１１には、前記本体１０の幅方向（Ｘ方向）の中央線に沿って延伸される第一スライド溝１５及び前記本体１０の長手方向（Ｙ方向）の中央線に沿って延伸される第二スライド溝１７が凹設されている。前記第一スライド溝１５の中部と前記第二スライド溝１７の中部が互いに連通されて、「十」字形のスライド溝を形成する。前記第一スライド溝１５の両端の底部には、第一収納穴１５１及び第二収納穴１５３がそれぞれに形成され、前記第二スライド溝１７の両端の底部には、第三収納穴１７１及び第四収納穴１７３がそれぞれに形成され、前記第一スライド溝１５と前記第二スライド溝１７とが交叉する箇所の底部には、第五収納穴１５５が形成されている。
【００１２】
図１及び図２を参照すると、前記蓋体３０は、表示部３１１及び入力部３１３が設置されている外表面３１と、前記外表面３１に相対して設置される装着面３３と、を備える。前記表示部３１１は、前記携帯式電子装置１００の情報を表示することに用いられ、前記入力部３１３は、前記携帯式電子装置１００に対して入力及び操作することに用いられる。前記表示部３１１は、タッチパネルでもよい。
【００１３】
前記蓋体３０の装着面３３には、連通され且つ「Ｘ」字形を成す第三スライド溝３５及び第四スライド溝３７が凹設されている。本実施形態において、前記第三スライド溝３５及び前記第四スライド溝３７は、前記蓋体３０の対角線に沿って凹設されている。前記第三スライド溝３５の両端の底部には、第一装着穴３５１及び第二装着穴３５３がそれぞれに形成され、前記第四スライド溝３７の両端の底部には、第三装着穴３７１及び第四装着穴３７３がそれぞれに形成され、前記第三スライド溝３５と前記第四スライド溝３７とが交叉する箇所の底部には、第五装着穴３５５が形成されている。前記蓋体３０と前記本体１０とが閉合した場合、前記第五装着穴３５５と前記第五収納穴１５５は対面する。本実施形態において、前記収納穴１５１、１５３、１７１、１７３、１５５と前記装着穴３５１、３５３、３７１、３７３、３５５とのサイズは同じである。
【００１４】
スライド手段５０は、ガイド板５１、第一位置決めユニット５３、第二位置決めユニット５５及びスライド部材５７を備える。前記ガイド板５１には、前記ガイド板５１の上下表面を貫通し且つ前記蓋体の３０の第三スライド溝３５及び第四スライド溝３７にそれぞれに対応する互いに交叉する２つのガイド溝５１１が開設されている。
【００１５】
前記第一位置決めユニット５３は、磁性を有する５つの第一位置決め部材５３１を備える。前記５つの第一位置決め部材５３１は、それぞれ前記本体１０の前記第一収納穴１５１、前記第二収納穴１５３、前記第三収納穴１７１、前記第四収納穴１７３及び前記第五収納穴１５５に固定装着される。
【００１６】
前記第二位置決めユニット５５は、磁性を有する５つの第二位置決め部材５５１を備える。前記５つの第二位置決め部材５５１は、それぞれ前記蓋体３０の前記第一装着穴３５１、前記第二装着穴３５３、前記第三装着穴３７１、前記第四装着穴３７３及び前記第五装着穴３５５に固定装着される。本実施形態において、前記本体１０の各々の収納穴１５１、１５３、１７１、１７３、１５５から露出する５つの第一位置決め部材５３１の一端の極性は同じであり、前記蓋体３０の各々の装着穴３５１、３５３、３７１、３７３、３５５から露出する５つの第二位置決め部材５５１の一端の極性は同じであり、且つ前記本体１０の各々の収納穴１５１、１５３、１７１、１７３、１５５から露出する第一位置決め部材５３１の一端の極性は、前記蓋体３０各々の装着穴内３５１、３５３、３７１、３７３、３５５から露出する第二位置決め部材５５１の一端の極性と相反する。
【００１７】
前記スライド部材５７も磁性を有する。前記スライド部材５７は、対向して設置される第一端及び第二端を有し、前記スライド部材５７の第一端の極性は、前記蓋体３０の各々の装着穴３５１、３５３、３７１、３７３、３５５から露出する５つの第二位置決め部材５５１の一端の極性と同じであり、前記スライド部材５７の第二端の極性は、前記本体１０の各々の収納穴１５１、１５３、１７１、１７３、１５５から露出する５つの第一位置決め部材５３１の一端の極性と相同である。前記スライド部材５７の第一端は前記本体１０の第一スライド溝１５及び第二スライド溝１７にスライド可能に装着され、前記スライド部材５７の第二端は前記蓋体３０の第三スライド溝３５及び第四スライド溝３７にスライド可能に装着される。
【００１８】
図１乃至図３を参照すると、前記携帯式電子装置１００を組み立てる場合、先ず、前記第一位置決めユニット５３の５つの第一位置決め部材５３１を前記本体１０の５つの収納穴１５１、１５３、１７１、１７３、１５５にそれぞれ固定装着すると共に、前記第二位置決めユニット５５の５つの第二位置決め部材５５１を前記蓋体３０の５つの装着穴３５１、３５３、３７１、３７３、３５５にそれぞれ固定装着する。次に、前記スライド部材５７の第二端を前記蓋体３０の第五装着穴３５５から露出する第二位置決め部材５５１に吸着させ、前記ガイド板５１をその２つのガイド溝５１１の交差箇所から前記スライド部材５７に被せて、前記ガイド板５１をその２つのガイド溝５１１が前記第三スライド溝３５及び前記第四スライド溝３５に対応するように前記蓋体３０の装着面３３に取り付ける。この時、前記スライド部材５７の第一端は前記ガイド板５１のガイド溝５１１から露出する。次に、上述の構造の蓋体３０を前記本体１０にスライド可能に結合するとともに、前記スライド部材５７の第一端を前記本体１０の第五収納穴１５５から露出する第一位置決め部材５３１に吸着させて、前記携帯式電子装置１００の組立を完成する。この時、前記スライド部材５７のＺ方向（前記ガイド板５１の厚さ方向）における移動が制限される。
【００１９】
図４及び図５を参照すると、前記携帯式電子装置１００の閉合状態において、前記スライド部材５７の第一端及び第二端は、前記本体１０の第五収納穴１５５から露出する第一位置決め部材５３１及び前記蓋体３０の第五装着穴３５５から露出する第二位置決め部材５５１に磁力によってそれぞれに吸着される。前記本体１０の第五収納穴１５５から露出する第一位置決め部材５３１の一端の極性と前記蓋体３０の第五装着穴３５５から露出する第二位置決め部材５５１の一端の極性とは相反するため、前記携帯式電子装置１００に外力を印加しないと、前記本体１０と前記蓋体３０とは磁力によって位置決めされるとともに、前記蓋体３０は前記本体１０に対して回転しない。
【００２０】
図６に示したように、前記蓋体３０を前記本体１０に対して開放する場合、前記蓋体３０をＸ軸方向（幅方向）に沿って推進すると、前記蓋体３０は前記第五収納穴１５５の第一位置決め部材５３１と前記第五装着穴３５５の第二位置決め部材５５１との吸着力に対抗しながらスライドする。この時、前記スライド部材５７は前記第一スライド溝１５を沿ってスライドする。前記蓋体３０の前記本体１０に対する移動が極限位置に到達すれば、前記本体１０と前記蓋体３０とは、前記本体１０の第三収納穴１７１の第一位置決め部材５３１と前記蓋体３０の第二装着穴３５３の第二位置決め部材５５１との吸着力と、前記本体１０の第四収納穴１７３の第一位置決め部材５３１と前記蓋体３０の第四装着穴３７３の第二位置決め部材５５１との吸着力と、前記本体１０の第二収納穴１５３の第一位置決め部材５３１と蓋体３０の第五装着穴３５５の第二位置決め部材５５１との吸着力と、によって安定な状態になる。
【００２１】
また、図７に示したように、前記蓋体３０を前記本体１０に対して開放する場合、前記蓋体３０をＹ軸方向（長手方向）に沿って推進して極限位置に到達すれば、前記本体１０と前記蓋体３０とは、前記本体１０の第一収納穴１５１の第一位置決め部材５３１と前記蓋体３０の第四装着穴３７３の第二位置決め部材５５１との吸着力と、前記本体１０の第二収納穴１５３の第一位置決め部材５３１と前記蓋体３０の第一装着穴３５１の第二位置決め部材５５１との吸着力と、前記本体１０の第三収納穴１７１の第一位置決め部材５３１と蓋体３０の第五装着穴３５５の第二位置決め部材５５１との吸着力と、によって安定な状態になる。
【００２２】
また、図８に示したように、前記蓋体３０を前記本体１０に対して開放する場合、前記蓋体３０を前記蓋体３０の対角線方向を沿って推進させ（即ち、スライド部材５７を前記第三スライド溝に沿って移動させること）、前記スライド部材５７が前記対角線方向の末端に位置すれば、前記本体１０と前記蓋体３０とは、前記スライド部材５７と前記蓋体３０の第二装着穴３５３の第二位置決め部材５５１との吸着力によって安定な状態になる。
【００２３】
また、図９に示したように、図８に示す携帯式電子装置１００に対して、前記蓋体３０を前記本体１０に対して一定な角度に回転させようとする場合、手で前記蓋体３０を回転させれば、前記蓋体３０は、前記スライド部材５７と前記蓋体３０の第二装着穴３５３の第二位置決め部材５５１との吸着力に対抗しながら前記スライド部材５７を回転軸として回転する。
【００２４】
前記本体１０と前記蓋体３０とを閉合することは、前記本体１０と前記蓋体３０とを開放することと原理が同じので、それに対する詳細な説明を省略する。
【００２５】
本発明に係る携帯式電子装置１００において、前記スライド部材５７が前記本体１０の第一スライド溝１５、第二スライド溝１７及び蓋体３０の第三スライド溝３５、第四スライド溝３７でスライド及び回転できるため、前記蓋体３０は前記本体１０に対してスライド及び回転できる。これによって、前記本体１０と前記蓋体３０との相対位置を変化させて、使用者の興味を向上させる。また、第一位置決めユニット５３と第二位置決めユニット５５との吸着力によって前記蓋体３０を前記本体１０に対して位置決めするので、本発明に係る電子装置１００の使用寿命が長くなる。
【００２６】
また、前記本体１０の第一スライド溝１５及び第二スライド溝１７の側壁と、前記蓋体３０の第三スライド溝３５及び第四スライド溝３７の側壁と、前記スライド部材５７と、を全て導電材料から製造して、前記本体１０と前記蓋体３０を導電させる。また、フレキシブル回路板を介して前記本体１０と前記蓋体３０を導電させることもできる。
【００２７】
また、前記スライド部材５７は電気磁石とすることができる。これによって、前記スライド部材５７と前記本体１０の第一位置決めユニット５３及び前記蓋体３０の第二位置決めユニット５５との吸着及び反発を制御して、前記本体１０と前記蓋体３０との相対的な運動を便利に制御することができる。
【００２８】
また、前記スライド部材５７は分段位置決めのベアリングとすることもできる。これによって、前記本体１０と前記蓋体３０との相対的な回転を便利に制御することができる。
【００２９】
また、前記第一位置決めユニット５３の第一位置決め部材５３１及び前記第二位置決めユニット５５の第二位置決め部材５５１の数は限定されない。また、前記第一位置決めユニット５３及び前記第二位置決めユニット５５を全て磁石に限定せず、一方が磁石である場合、他方は鉄、コバルト又はニッケルとすることができる。
【００３０】
また、前記本体１０及び前記蓋体３０におけるスライド溝の数量及び形状を限定しない。即ち、数量としては１つ又は複数個であり、形状としては曲線又は折線とすることができる。
【００３１】
前記スライド部材５７が前記本体１０及び前記蓋体３０におけるスライド溝によって全てスライドできることに限定しない。例えば、前記スライド部材５７を前記本体１０に固定すると、前記本体１０にスライド溝を開設する必要がなく、前記本体１０の構造が簡単になる。また、前記スライド部材５７を前記蓋体３０に固定することもできる。
【００３２】
また、前記ガイド板５１を省略してもよい。この時、前記スライド部材５７は分離可能な２つの柱体から構成される。前記２つの柱体をそれぞれ前記本体１０のスライド溝及び前記蓋体３０のスライド溝に装着してから、前記２つの柱体を固定接続させる。また、前記スライド部材５７は、磁性を持たなくてもよい。
【００３３】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００３４】
１００  携帯式電子装置
１０  本体
１１  第一表面
１３  第二表面
１５  第一スライド溝
１５１  第一収納穴
１５３  第二収納穴
１５５  第五収納穴
１７  第二スライド溝
１７１  第三収納穴
１７３  第四収納穴
３０  蓋体
３１  外表面
３１１  表示部
３１３  入力部
３３  装着面
３５  第三スライド溝
３５１  第一装着穴
３５３  第二装着穴
３５５  第五装着穴
３７  第四スライド溝
３７１  第三装着穴
３７３  第四装着穴
５０  スライド手段
５１  ガイド板
５１１  ガイド溝
５３  第一位置決めユニット
５３１  第一位置決め部材
５５  第二位置決めユニット
５５１  第二位置決め部材
５７  スライド部材
【図１】
0005473773.tif 000002
【図２】
0005473773.tif 000003
【図３】
0005473773.tif 000004
【図４】
0005473773.tif 000005
【図５】
0005473773.tif 000006
【図６】
0005473773.tif 000007
【図７】
0005473773.tif 000008
【図８】
0005473773.tif 000009
【図９】
0005473773.tif 000010